(57)【要約】【課題】ケーブルの識別精度を高くすることができ、しかも、簡単かつ確実に安定したケーブル識別作業を行うことができるケーブル識別装置およびケーブル識別方法を提供する。【解決手段】複数本のケーブルＣから特定のケーブルＣを識別するためのケーブル識別装置であって、複数本のケーブルＣに対して、互いに異なる複数の識別信号Ｓを供給する発信手段１０と、複数本のケーブルＣにそれぞれ取り付けられ、各ケーブルＣに供給された識別信号Ｓを検出し、検出した識別信号Ｓに対応する検出信号をそれそれ発信する複数の信号検出手段２０と、複数の信号検出手段２０が発信する複数の検出信号が入力され、各検出信号を、その検出信号を発信した信号検出手段２０が取り付けられたケーブルＣと対応させて記録するケーブル識別手段３０とからなり、識別信号Ｓが、基礎周波数Ｓ１と、基礎周波数Ｓ１と異なる周波数の識別周波数Ｓ２とを交互に配列したものである。【選択図】図１
2006046931.tif 000002
【特許請求の範囲】
【請求項１】
複数本のケーブルから特定のケーブルを識別するためのケーブル識別装置であって、
該ケーブル識別装置が、前記複数本のケーブルに対して、互いに異なる複数の識別信号を供給する発信手段と、
前記複数本のケーブルにそれぞれ取り付けられ、各ケーブルに供給された前記識別信号を検出し、検出した前記識別信号に対応する検出信号をそれそれ発信する複数の信号検出手段と、
該複数の信号検出手段が発信する前記複数の検出信号が入力され、各検出信号を、その検出信号を発信した前記信号検出手段が取り付けられたケーブルと対応させて記録するケーブル識別手段とからなり、
前記識別信号が、基礎周波数と、該基礎周波数と異なる周波数の識別周波数とを交互に配列したものである
ことを特徴とするケーブル識別装置。
【請求項２】
前記識別信号の基礎周波数が、１０ｋＨｚであり、
前記識別信号の識別周波数が、２０ｋＨｚである
ことを特徴とする請求項１記載のケーブル識別装置。
【請求項３】
前記信号検出手段が、
前記ケーブルの外周面に巻き付けられるシート状のケーブル保持部と、
該ケーブル保持部の内面に設けられた、前記ケーブル内を伝播する前記識別信号を検出し、該識別信号の強度変動と同期した前記検知信号を発信するシート状センサとからなる
ことを特徴とする請求項１記載のケーブル識別装置。
【請求項４】
複数本のケーブルから特定のケーブルを識別するためのケーブル識別方法であって、
互いに異なる複数の識別信号を、基礎周波数と該基礎周波数と異なる周波数の識別周波数とを交互に配列して形成し、
複数の識別信号を、それぞれ前記複数本のケーブルに供給し、
前記複数本のケーブルに供給された前記複数の識別信号を検出して、各識別信号と、その識別信号が供給されたケーブルとを対応させる
ことを特徴とするケーブル識別方法。
【発明の詳細な説明】
【技術分野】
【０００１】
本発明は、ケーブル識別装置およびケーブル識別方法に関する。発電所や変電所、プラント等においては、その中央制御盤と所内各所の機器等との間には、数百本から数千本に及ぶケーブルが敷設されており、このケーブルを介して各種機器の制御が行われている。ところで、各種機器の配置変更や改修等に際しては、ケーブルを切断・再接続することが必要になる場合があるが、多数のケーブルから特定のケーブルを検出することは困難である。そして、発電所等では、ケーブルはその長さが数百ｍ〜数ｋｍにも及ぶ長さを持っており、通常、ケーブルの切断・再接続はその中間部で行われることが多く、ケーブルの中間部においてケーブルを切断することなく特定のケーブルを検出することが必要であるが、非常に困難である。
本発明は、ケーブルを切断することなく、複数のケーブルから特定のケーブルを検出することができるケーブル識別装置およびケーブル識別方法に関する。
【背景技術】
【０００２】
従来から、敷設ルートの中間部において、複数本の敷設ケーブルの中から特定のケーブルを探知するケーブル探知装置が開発されている（例えば、特許文献１：従来例１）。
従来例１の技術は、敷設ルートの中間部に敷設ケーブル中を伝搬する信号を静電結合により検出することができるプローブを配置し、発信手段によって特定のケーブルに注入されたパルス信号をプローブに検出させることによってケーブルを特定する技術である。そして、複数のケーブルに対して、複数のパルスを組み合わせてコード化した信号（以下、単にコード化信号という）を供給することにより、各ケーブルに供給されるコード化信号のパターンの相違によって、特定のパルス信号が供給されたケーブルを特定することができる。
【０００３】
しかるに、従来例１の技術では、プローブによって検出された信号の電圧が所定の値以上の状態をコード化信号の各パルスとして判断している。このため、ケーブル内を伝播する間に各パルスが減衰してしまうと、各パルスとノイズとを識別することができなくなる。とくに、コード化信号を注入する場所からプローブを設けた位置までのケーブルの長さが長い場合には、信号の減衰が大きく、プローブが検出した信号からコード化信号を識別することができなくなり、コード化信号の検出精度が低下し、ケーブルを特定する作業の精度が低下する。
また、パルス信号とノイズをプローブが検出する信号の強度に基づいて識別しているため、ケーブルへのプローブの取り付け状態や、作業者の習熟度によって検出精度が変化してしまい、常に安定したケーブル識別作業を行うことが困難である。
【０００４】
【特許文献１】特開平９−２８１１７５号
【発明の開示】
【発明が解決しようとする課題】
【０００５】
本発明は上記事情に鑑み、ケーブルの識別精度を高くすることができ、しかも、簡単かつ確実に安定したケーブル識別作業を行うことができるケーブル識別装置およびケーブル識別方法を提供することを目的とする。
【課題を解決するための手段】
【０００６】
第１発明のケーブル識別装置は、複数本のケーブルから特定のケーブルを識別するためのケーブル識別装置であって、該ケーブル識別装置が、前記複数本のケーブルに対して、互いに異なる複数の識別信号を供給する発信手段と、前記複数本のケーブルにそれぞれ取り付けられ、各ケーブルに供給された前記識別信号を検出し、検出した前記識別信号に対応する検出信号をそれそれ発信する複数の信号検出手段と、該複数の信号検出手段が発信する前記複数の検出信号が入力され、各検出信号を、その検出信号を発信した前記信号検出手段が取り付けられたケーブルと対応させて記録するケーブル識別手段とからなり、前記識別信号が、基礎周波数と、該基礎周波数と異なる周波数の識別周波数とを交互に配列したものであることを特徴とする。
第２発明のケーブル識別装置は、第１発明において、前記識別信号の基礎周波数が、１０ｋＨｚであり、前記識別信号の識別周波数が、２０ｋＨｚであることを特徴とする。
第３発明のケーブル識別装置は、第１発明において、前記信号検出手段が、前記ケーブルの外周面に巻き付けられるシート状のケーブル保持部と、該ケーブル保持部の内面に設けられた、前記ケーブル内を伝播する前記識別信号を検出し、該識別信号の強度変動と同期した前記検知信号を発信するシート状センサとからなることを特徴とする。
第４発明のケーブル識別方法は、複数本のケーブルから特定のケーブルを識別するためのケーブル識別方法であって、互いに異なる複数の識別信号を、基礎周波数と該基礎周波数と異なる周波数の識別周波数とを交互に配列して形成し、複数の識別信号を、それぞれ前記複数本のケーブルに供給し、前記複数本のケーブルに供給された前記複数の識別信号を検出して、各識別信号と、その識別信号が供給されたケーブルとを対応させることを特徴とする。
【発明の効果】
【０００７】
第１発明によれば、発信手段によって各ケーブルに異なる識別信号が入力されており、複数の信号検出手段が検出する識別信号がそれぞれ異なるから、各信号検出手段によって発信される検知信号が異なる。このため、ケーブル識別手段に、各信号検出手段が発信する検知信号を、その検知信号を発信した信号検出手段が取り付けられたケーブルと対応させて記憶させておけば、検知信号を解析して得られる識別信号に基づいて、特定の識別信号が検出されたケーブルを特定することができる。しかも、識別信号が基礎周波数と識別周波数とを交互に配列したものであるから、作業現場やケーブルに発生しやすいノイズの周波数と異なる基礎周波数および識別周波数を採用すれば、識別信号の強度が弱くても、ノイズと識別信号を容易に分離することができ、測定精度を向上させることができる。また、識別信号の判別にその強度の影響が少ないので、信号検出手段の取り付け状態によって測定精度が変化することを防ぐことができ、ケーブル識別作業の精度を向上させることができる。
第２発明によれば、１０ｋＨｚや２０ｋＨｚのノイズは、通常ケーブルが敷設されている場所等に発生しないので、ノイズと識別信号をより確実に分離することができ、測定精度を向上させることができる。
第３発明によれば、シート状のケーブル保持部を巻き付けるだけで信号検出手段をケーブルの外周面に取り付けることができるから、信号検出手段の取り付け作業を簡単かつ短時間で行うことができる。
第４発明によれば、各ケーブルに異なる識別信号が入力されているから、各ケーブルに供給された識別信号を検出すれば、特定の識別信号が供給されたケーブルを識別することができる。しかも、識別信号が基礎周波数と識別周波数とを交互に配列したものであるから、作業現場やケーブルに発生しやすいノイズの周波数と異なる基礎周波数および識別周波数を採用すれば、識別信号の強度が弱くても、ノイズと識別信号を容易に分離することができ、ケーブル識別作業の精度を向上させることができる。また、識別信号の判別にその強度の影響が少ないので、信号検出手段の取り付け状態によって測定精度が変化することを防ぐことができ、ケーブル識別作業の精度を向上させることができる。
【発明を実施するための最良の形態】
【０００８】
つぎに、本発明の実施形態を図面に基づき説明する。
図１は本実施形態のケーブル識別装置１の概略説明図である。同図において、符号Ｃは、発電所や変電所等において敷設されているケーブルを示している。このケーブルＣは、通常、数百〜数千本が束ねられた状態で敷設されており、その長さが数百ｍのものもあれば数ｋｍに及ぶものもある。また、符号１０は、前記複数本のケーブルＣに対して、アンプＡを介して識別信号Ｓを供給する発信手段を示している。この発信手段１０は、各ケーブルＣ毎に互いに異なる識別信号Ｓを供給するものである。この識別信号Ｓは、例えば、サイン波やパルス信号等の電圧の強度変化であり、異なる周波数の信号を組み合わせて形成されているものであるが、詳細は後述する。なお、以下では、識別信号Ｓを形成する電圧の強度変化を、単に識別信号Ｓの強度変化という。
各ケーブルＣの途中にはそれぞれ信号検出手段２０が取り付けられている。この信号検出手段２０は、ケーブルＣに供給された識別信号Ｓの強度変化を検出して、その強度変化と同期した、言い換えれば、識別信号Ｓの周波数と同期した検知信号を発信するものである。
【０００９】
図２（Ａ）は発信手段１０の概略説明図であり、（Ｂ）はケーブル識別手段３０の概略説明図である。図１および図２に示すように、全ての信号検出手段２０は、例えば配線Ｌ１等を介してケーブル識別手段３０に接続されている。図２（Ｂ）に示すように、ケーブル識別手段３０は、信号検出手段２０が発信した検知信号を、その信号を増幅するアンプＡと、アンプＡによって増幅された信号から所定の周波数帯域の信号のみを取り出すバンドパスフィルタＢＰＦと、このバンドパスフィルタＢＰＦによって取り出された所定の周波数帯域の信号をその周波数に応じた電圧に変換するＦＶ変換器ＦＶとを通して、管理部３１に供給するように構成されている。
管理部３１は、全ての信号検出手段２０が発信する全ての検知信号を受信し、受信した検知信号を、その検知信号を発信した信号検出手段２０の識別番号や、各信号検出手段２０が取り付けられているケーブルＣの信号検出手段２０側における識別番号（以下、単に検出側ケーブル番号という）等と対応させて記録する機能を有している。
そして、ケーブル識別手段３０の管理部３１は、例えば電話回線やＬＡＮ回線等の通信回線Ｌによって発信手段１０にも接続されており、発信手段１０から、発信手段１０側における各ケーブルＣの識別番号（以下、単に発信側ケーブル番号という）と、それぞれのケーブルＣに供給した識別信号Ｓとが送信されるように構成されている。
【００１０】
このため、発信手段１０から各ケーブルＣに対して識別信号Ｓを供給すれば、その強度変化が信号検出手段２０に検出され、信号検出手段２０は、識別信号Ｓの強度変動と同期した検知信号を発信し、その検知信号が、ケーブル識別手段３０の管理部３１に送信される。すると、管理部３１は、例えば、検知信号と、その検知信号を発信した信号検出手段２０の識別番号および検出側ケーブル番号とをあわせて検出データとして記録し保存することができる。
【００１１】
そして、発信手段１０から特定の識別信号Ｓが供給された特定ケーブルＣを特定する場合には、管理部３１に検出データとして記憶されている検知信号を解析して識別信号Ｓを復元し、復元された識別信号Ｓと特定の識別信号Ｓとを比較すれば、特定の識別信号Ｓが送信されたケーブルＣの検出側ケーブル番号を検出でき、信号検出手段２０の位置において、特定ケーブルＣを他のケーブルＣから識別することができる。
【００１２】
なお、ケーブル識別手段３０の管理部３１は発信手段１０に接続されていなくてもよく、予め発信側ケーブル番号と各ケーブルＣに供給される識別信号Ｓのパターンを管理部３１に記憶させておけば、信号検出手段２０側において、特定の識別信号Ｓが供給された特定ケーブルＣを、他のケーブルＣから識別することができる。
そして、信号検出手段２０側において、発信側ケーブル番号と各ケーブルＣに供給される識別信号Ｓのパターンが分かっていない場合であっても、管理部３１に記憶されている検出データを解析すれば、検出側ケーブル番号から各ケーブルＣに供給された識別信号Ｓのパターンを検索できる。すると、後から発信手段１０側において特定ケーブルＣに供給された識別信号Ｓのパターンを確認すれば、信号検出手段２０の位置において、特定の識別信号Ｓが供給された特定ケーブルＣを他のケーブルＣから識別することができる。
【００１３】
さらになお、ケーブル識別手段３０の構成は上記のごとき構成に限られず、信号検出手段２０が発信した信号を、バンドパスフィルタＢＰＦやＦＶ変換器ＦＶを通さずにそのまま管理部３１に供給するようにしてもよい。つまり、ケーブルＣに供給されている識別信号Ｓを特定することができる信号が管理部３１に供給できるように構成されていれば、とくに限定はされない。
【００１４】
さらになお、管理部３１が復元する信号は識別信号Ｓに限られず、発信手段１０が後述するような構成であれば、制御信号ＳＡ１，ＳＢ１を復元してもよく、特定ケーブルＣを他のケーブルＣから識別できる信号であれば、復元する信号は特に限定されない。
【００１５】
つぎに、発信手段１０を説明する。
図３（Ａ）は（Ａ）は制御器１１から回路１２に供給される制御信号ＳＡ，ＳＢの概略説明図であり、（Ｂ）はケーブルＣに供給される識別信号Ｓの一例である。発信手段１０が識別信号Ｓを供給するケーブルＣの本数に限定はないが、以下では、説明を簡単にするために、２本のケーブルＣＡ，ＣＢに識別信号Ｓを供給する場合を説明する。
【００１６】
図２において、符号ＦＧは、例えば水晶発信器等のサイン波やパルス信号等の電圧の強度変化によって形成された、所定の周期の信号を発信する発振源である。また符号Ｄ１，Ｄ２は、それぞれ入力信号の周期を変化させて発信する分周器である。例えば、図２において、発振源ＦＧが発信する信号が４ＭＨｚであり、分周器Ｄ１が入力信号の周期を1/200として発信するものであり、また、分周器Ｄ２が入力信号の周期を1/2として発信するものであれば、分周器Ｄ１からは２０ｋＨｚの周期の信号が発信され、分周器Ｄ２からは１０ｋＨｚの周期の信号が発信される。
【００１７】
図２に示すように、前記分周器Ｄ１，Ｄ２は、回路12A，12Bの、信号入力ポートＳ１および信号入力ポートＳ２にそれぞれ接続されており、各分周器Ｄ１，Ｄ２が発信する信号が信号入力ポートＳ１，Ｓ２にそれぞれ入力されるように構成されている。この回路12A，12Bは、実質同等の構造を有する回路であり、入力ポートＩ１がＯＮになると（例えば、５Ｖの電圧が印加されると）、信号入力ポートＳ１から入力される信号を出力ポートＯＴに出力し、入力ポートＩ２がＯＮになると（例えば、５Ｖの電圧が印加されると）、信号入力ポートＳ２から入力される信号を出力ポートＯＴに出力するものである。
【００１８】
そして、入力ポートＩ１には、パーソナルコンピュータなどの制御器１１が接続されている。この制御器１１は、各回路12A，12Bの入力ポートＩ１に対して、複数のパルスを組み合わせてコード化された制御信号ＳＡ１，ＳＢ１（図３（Ａ））をそれぞれ供給するための装置である。制御信号ＳＡ１，ＳＢ１は、例えば、１ビットが１０ｍｓである１７ビットの信号で構成されたＯＮ−ＯＦＦ信号であり、各ビットの電圧値の組み合わせ、つまり、ＯＮ−ＯＦＦの組み合わせを変えることによって、互いに異なる信号として形成されている。例えば、図３（Ａ）であれば、制御信号ＳＡ１は最初の２ビット（Ｔ１，Ｔ２）だけＯＮであとはＯＦＦの信号であり、制御信号ＳＢ１は、１，３番目（Ｔ１、Ｔ３）がＯＮであとはＯＦＦの信号等である。
なお、制御信号は、回路12A，12Bの動作を制御できる信号であればよく、ビット数や１ビットの長さは上記の条件に限られず、また、ＯＮ−ＯＦＦ信号でなくてもよく、とくに限定はない。
【００１９】
また、各回路12A，12Bの入力ポートＩ２も制御器１１と接続されている。各回路12A，12Bの入力ポートＩ２には、各回路12A，12Bの入力ポートＩ１に供給されている制御信号SA1，SB1が、反転器Ｒを通して供給されている。つまり、各回路12A，12Bの入力ポートＩ２に供給される制御信号ＳＡ２，ＳＢ２は、制御信号ＳＡ１，ＳＢ１がＯＮのときはＯＦＦとなり、制御信号ＳＡ１，ＳＢ１がＯＦＦのときはＯＮとなるように調整されている（図３（Ｂ））。
【００２０】
このため、各回路12A，12Bに対して制御信号ＳＡ１，ＳＢ１が供給されているときには、入力ポートＩ１，Ｉ２のいずれかには必ずＯＮの信号が供給されているから、各回路12A，12Bの出力ポートＯＴからは、常に、信号入力ポートＳ１，Ｓ２に入力されている信号のいずれかが供給されている。つまり、各回路12A，12Bが接続されたケーブルＣＡ，ＣＢには、制御器１１から供給される制御信号ＳＡ，ＳＢに対応して、分周器Ｄ１，Ｄ２が発信する所定の周期の信号が交互に配列された互いに異なる信号ＳＣＡ，ＳＣＢが供給されるのである（図３（Ｂ））。
そして、複数の回路１２並列して設け、各回路１２に対して異なるパターンの制御信号を供給すれば、簡単かつ容易に所定の周期の信号が交互に配列された互いに異なる信号ＳＣを各ケーブルＣに供給することできるのである。
上記の信号ＳＣＡ，ＳＣＢが、上述した識別信号Ｓであり、入力ポートＩ２がＯＮのときに入力される信号、つまり分周器Ｄ２から供給される信号の周波数が識別周波数Ｓ２であり、分周器Ｄ１から供給される信号の周波数が基礎周波数Ｓ１である。
【００２１】
そして、識別信号Ｓの基礎周波数Ｓ１および識別周波数Ｓ２を、作業現場やケーブルＣに発生しやすいノイズの周波数と異なる周波数にしておけば、信号検出手段２０が発信する検知信号にノイズが多く含まれていたとしても、検知信号を周波数分析すれば、検知信号から識別信号Ｓの基礎周波数Ｓ１および識別周波数Ｓ２を分離して検出することができる。そして、識別信号Ｓを周波数分析によって検出できるから、たとえ識別信号Ｓの強度が弱く、ノイズの強度と同等レベルであっても、識別信号Ｓを検出することができる。そして、識別信号Ｓの判別にその強度の影響が少ないから、信号検出手段２０の取り付け状態によって測定精度が変化することを防ぐことができ、ケーブル識別作業の精度を向上させることができる。
【００２２】
なお、発信手段１０は上記のごとき構成に限られず、各ケーブルＣに対して、異なる周波数の識別周波数Ｓ２と基礎周波数Ｓ１が交互に配列され、かつ互いに異なる複数の識別信号Ｓを供給できる構成であれば、特に限定はない。例えば、制御器１１が、ケーブルＣに対して、直接、異なる周波数の基礎周波数Ｓ１と識別周波数Ｓ２を供給できる場合には、制御器１１だけで発信手段１０を構成してもよい。
【００２３】
また、基礎周波数Ｓ１および識別周波数Ｓ２がそれぞれ１０ｋＨｚや２０ｋＨｚであれば、かかる周波数のノイズは、通常、発電所等においてケーブルＣが敷設されている場所等に発生しないので、識別信号Ｓをノイズからより確実に分離することができ、測定精度を向上させることができ、発電所等におけるケーブル識別作業の精度を向上させることができる。
なお、識別信号Ｓの基礎周波数Ｓ１および識別周波数Ｓ２は、１０ｋＨｚと２０ｋＨｚに限られず、両者が明確に区別でき、また、ノイズの周波数（例えば、商用周波数や家電製品に使用される周波数）等と区別できればよく、識別信号Ｓの基礎周波数Ｓ１および識別周波数Ｓ２に採用する周波数に特に限定はない。
さらになお、複数の識別周波数Ｓ２を用いて、ケーブルＣ毎に識別周波数Ｓ２を変化させてもよいし、基礎周波数Ｓ１と２つ以上の異なる識別周波数Ｓ２とを順番に配列して識別信号Ｓを形成してもよく、とくに限定はない。
【００２４】
さらになお、制御器１１が発信する制御信号の１ビット目を作業開始信号とし、全ての回路１２に対して同時にＯＮとなるようにすれば、全ての検知信号を比較して、作業開始時、つまり識別信号Ｓの発信を開始したタイミングを正確に特定できるから、識別信号Ｓの信号の識別精度を高めることができる。
さらになお、識別信号Ｓを複数回ケーブルＣに供給するようにすれば、ケーブル識別作業の精度をさらに高めることができる。
【００２５】
つぎに、信号検出手段２０を説明する。
図４（Ａ）は信号検出手段２０が巻き付けられたケーブルＣの概略断面図であり、（Ｂ）は信号検出手段２０の概略展開図である。図４（Ｂ）に示すように、信号検出手段２０は、ケーブルＣの外周面に巻き付けるケーブル保持部２１を備えている。このケーブル保持部２１は、例えば、アルミ等を素材とするシート状の部材であって、その内面に銅箔等によって導電性層が形成されたものである。このケーブル保持部２１は、その内面の一端部に、面状ファスナー２３が設けられており、その外面には、面状ファスナー２３と着脱可能に連結しうる、例えば、面状ファスナーや起毛した素材などによって形成された図示しない結合層が設けられている。
また、ケーブル保持部２１の内面には、シート状センサ２２が設けられている。このシート状センサ２２は、金属メッシュやアルミシート等であり、配線Ｌ１によって前記ケーブル識別手段３０の管理部３１に電気的に接続されている。
【００２６】
このため、ケーブル保持部２１を、その内面、つまり、シート状センサ２２がケーブルＣの外周面と接触するように、ケーブルＣに巻き付けて、面状ファスナー２３をケーブル保持部２１の外面の結合層に取り付ければ、信号検出手段２０をケーブルＣに取り付けることができる。すると、ケーブルＣ内に識別信号Ｓが流れると、ケーブルＣの導電層とシート状センサ２２との間で静電結合が発生し、この静電結合によってシート状センサ２２に電圧が発生する。このシート状センサ２２に発生する電圧は、識別信号Ｓの強度変化に対応して変動するから、シート状センサ２２によって識別信号Ｓを検出できるのである。そして、シート状センサ２２に発生する電圧変動が、検知信号として配線Ｌ１によって前記ケーブル識別手段３０に発信されるのである。
【００２７】
また、信号検出手段２０は、ケーブル保持部２１をケーブルＣに巻き付け、面状ファスナー２３によって固定しているだけであるから、ケーブルＣに対する信号検出手段２０の取り付け取り外しを簡単かつ短時間で行うことができる。すると、ケーブルＣの識別作業において、最も手間と時間のかかる信号検出手段２０の取り付け取り外し作業を簡単にすることができるから、ケーブルＣの識別作業の作業時間を短縮することができる。
【００２８】
なお、信号検出手段２０において、識別信号Ｓを検出する方式は、静電結合によって識別信号Ｓを検出するものに限られず、電磁誘導によって識別信号Ｓを検出するものでもよく、特に限定はない。
【産業上の利用可能性】
【００２９】
本発明のケーブル識別装置およびケーブル識別方法は、発電所や変電所、プラント等において、ケーブルを切断することなく複数のケーブルから特定のケーブルを検出する作業や、工場やビル等に設けられているケーブルの特定に適している。
【図面の簡単な説明】
【００３０】
【図１】本実施形態のケーブル識別装置１の概略説明図である。
【図２】（Ａ）は発信手段１０の概略説明図であり、（Ｂ）はケーブル識別手段３０の概略説明図である。
【図３】（Ａ）は制御器１１から回路１２に供給される制御信号ＳＡ，ＳＢの概略説明図であり、（Ｂ）はケーブルＣに供給される識別信号Ｓの一例である。
【図４】（Ａ）は信号検出手段２０が巻き付けられたケーブルＣの概略断面図であり、（Ｂ）は信号検出手段２０の概略展開図である。
【符号の説明】
【００３１】
１０      発信手段
２０      信号検出手段
２１      ケーブル保持部
２２      シート状センサ
３０      ケーブル識別手段
Ｃ        ケーブル
Ｓ        識別信号
Ｓ１      基礎周波数
Ｓ２      識別周波数
【図１】
2006046931.tif 000003
【図２】
2006046931.tif 000004
【図３】
2006046931.tif 000005
【図４】
2006046931.tif 000006